(57)【特許請求の範囲】
【請求項１】
粉状物又は液状物を噴出することによって風向及び／又は風力を確認するための簡易風向計であって、
前記粉状物又は前記液状物を収容し、前記粉状物又は前記液状物を噴出し得る大きさの少なくとも一つの微細孔を有する中空部と、
前記中空部内の空気を押し出すための押出部とを備え、
前記押出部は、前記中空部に形成された穴の周縁で前記中空部の内部から固定されている軟質部材によって形成されていることを特徴とする、簡易風向計。
【請求項２】
前記中空部は、略楕円状であり、
前記押出部は、指先大の縦長状であることを特徴とする、請求項１に記載の簡易風向計。
【請求項３】
前記中空部は、
前記粉状物又は前記液状物を出し入れするための出入孔と、
前記出入孔を蓋するための蓋部とを含むことを特徴とする、請求項１又は２に記載の簡易風向計。
【請求項４】
前記中空部は、縦長状であることを特徴とする、請求項１〜３のいずれかに記載の簡易風向計。
【請求項５】
前記中空部は、前記微細孔に向かうにつれて細くなることを特徴とする、請求項１〜４のいずれかに記載の簡易風向計。
【請求項６】
前記中空部は、ゴルフ付属品の形状を有する凹部を含み、
前記凹部に前記ゴルフ付属品が取り付けられることを特徴とする、請求項１〜５のいずれかに記載の簡易風向計。
【請求項７】
前記凹部は、前記ゴルフ付属品の端部に相当する部分が他の部分と比べて深くなっていることを特徴とする、請求項６に記載の簡易風向計。
【請求項８】
前記微細孔を閉じるためのキャップをさらに備えることを特徴とする、請求項１〜７のいずれかに記載の簡易風向計。
【発明の詳細な説明】
【技術分野】
【０００１】
本発明は、風向きや風力を簡易的に確認することができる風向計に関し、より特定的には、携帯に適した簡易風向計に関する。
【背景技術】
【０００２】
ゴルフのプレイ中に風向きや風力を確認するために、従来、芝生を千切り取って上空に投げていた。しかし、芝生はある程度の重量を有するので、風へのなびき具合が芳しくなく、芝生を千切り取って上空に投げるだけでは、あまり正確に風向きや風力を確認することができなかった。そのような中、以下のような特許文献が開示されている。
【０００３】
特許文献１には、ゴルフクラブのグリップの先端に軽いリボンを取り付けて、風向きを確認する器具が開示されている。
【０００４】
特許文献２には、通風路に設けられたフラッグの向きによって風向きを確認する器具が開示されている。
【０００５】
特許文献３には、煙草の煙を排出して、風向きを確認する器具が開示されている。
【特許文献１】実開昭６０−１３２７６８号公報
【特許文献２】登録実用新案３１２６９９７号公報
【特許文献３】実開平７−１４３７９号公報
【発明の開示】
【発明が解決しようとする課題】
【０００６】
しかし、特許文献１に記載の器具は、決して見栄えが良いとは言えず、ゴルファーの心理としては、使いづらい。特に、ゴルフクラブをスイングする際、リボンを取り外さなければならず、面倒である。
【０００７】
特許文献２に記載の器具は、構造が複雑であり、低価格に提供されるとは思えない。また、携帯性やデザイン性に劣る。
【０００８】
特許文献３に記載の器具は、そもそも煙草を吸わないゴルファーは、使うことができない。また、携帯性やデザイン性に劣る。
【０００９】
それゆえ、本発明の目的は、風向や風力を簡易的かつ比較的正確に確認することができ、携帯性やデザイン性に優れた簡易風向計を提供することである。
【課題を解決するための手段】
【００１０】
上記課題を解決するために、本発明は、以下のような特徴を有する。本発明は、粉状物又は液状物を噴出することによって風向及び／又は風力を確認するための簡易風向計であって、粉状物又は液状物を収容し、粉状物又は液状物を噴出し得る大きさの少なくとも一つの微細孔を有する中空部と、中空部内の空気を押し出すための押出部とを備える。押出部は、中空部に形成された穴の周縁で中空部の内部から固定されている軟質部材によって形成されているとよい。
【００１１】
好ましくは、中空部は、略楕円状であり、押出部は、指先大の縦長状であるとよい。
【００１２】
好ましくは、中空部は、粉状物又は液状物を出し入れするための出入孔と、出入孔を蓋するための蓋部とを含むとよい。
【００１３】
好ましくは、中空部は、縦長状であるとよい。
【００１４】
好ましくは、中空部は、微細孔に向かうにつれて細くなるとよい。
【００１５】
好ましくは、中空部は、ゴルフ付属品の形状を有する凹部を含み、凹部にゴルフ付属品が取り付けられるとよい。
【００１６】
好ましくは、凹部は、ゴルフ付属品の端部に相当する部分が他の部分と比べて深くなっているとよい。
【００１７】
好ましくは、微細孔を閉じるためのキャップをさらに備えるとよい。
【発明の効果】
【００１９】
本発明によれば、押出部を押圧することによって、中空部に収容されている粉状物又は液状物が、微細孔から噴出されることとなる。これにより、噴出された霧状の粉状物又は液状物の流れや速さを見ることによって、風向や風力を確認することができる。霧状の粉状物や液状物は、非常に軽量であるので、芝生などを千切って投げる場合に比べ、比較的正確に風向や風力を確認することが可能となる。本発明の簡易風向計は、非常に簡易的な構成であり、コンパクトかつ軽量であるので、携帯性に優れている。また、構成が簡易であるからこそ、種々のデザインを採用することができる。したがって、デザイン性に優れた様々な簡易風向計を提供することが可能となる。
【００２０】
押出部を中空部の外側面に設けることによって、中空部と押出部との一体性が増し、使い勝手が良くなる。また、携帯性やデザイン性が向上する。中空部を略楕円状として、押出部を指先大の縦長状とすれば、粉状物又は液状物の噴射がスムーズに行われる。
【００２１】
軟質部材を中空部の内部から固定することによって、中空部に収容されている粉状物又は液状物が外部に漏れるのを防止することができる。蓋部を開けて粉状物又は液状物を出し入れ可能にすることによって、本発明の簡易風向計を再利用することが可能となる。
【００２２】
中空部を縦長状にすることによって、中空部に収容されている粉状物又は液状物を微細孔に向けて、効果的に送り込むことができる。また、中空部が微細孔に向かうにつれて細くなる形状であっても、粉状物又は液状物を微細孔に向けて、効果的に送り込むことができる。これらにより、効率的な噴射が実現される。
【００２３】
中空部にゴルフ付属品を取り付けることによって、利便性が向上する。また、凹部の端部を深くすれば、ゴルフ付属品が取りやすくなる。
【００２４】
微細孔を有するキャップによって、粉状物又は液状物を誤って噴射してしまうことを防止することができる。当該キャップは、簡易風向計と連結していれば、紛失を防止できる。
【００２５】
中空部の一部を軟質として、当該軟質部分が押出部を兼ねるようにすれば、簡易風向計の構造が簡易的となり、携帯性やデザイン性に優れることとなる。
【００２６】
本発明のこれらおよび他の目的、特徴、局面、効果は、添付図面と照合して、以下の詳細な説明から一層明らかになるであろう。
【発明を実施するための最良の形態】
【００２７】
（第１の実施形態）
図１は、本発明の第１の実施形態に係る簡易風向計１００の正面方向からの斜視図である。図２は、簡易風向計１００の背面方向からの斜視図である。図３は、簡易風向計１００の右側面図である。簡易風向計１００は、粉状物又は液状物を噴出することによって、風向及び／又は風力を確認することができる器具である。簡易風向計１００は、上中空部１と下中空部２とが挟まって形成される中空部１ｄと、中空部１ｄの外側面に設けられた押出部３とを備える。中空部１ｄは、粉状物又は液状物を噴出し得る大きさを有する微細孔４ａを有する。中空部１ｄは、微細孔４ａに向かうにつれて細くなる略楕円状を有する。押出部３は、指先大の縦長状を有する。
【００２８】
蓋部９を開けることによって、簡易風向計１００の中空部に対して、石灰（酸化カルシウム、水酸化カルシウム、炭酸カルシウム、カルシウム等の粉末）や石膏（硫酸カルシウム等の粉末）、小麦粉、片栗粉、きな粉、葛粉、米粉、蕎麦粉などの粉状物、又は、水や色水等の液状物を収容することができる。押出部３は、指の押圧力程度で撓むことができるゴムや軟質プラスチック等の軟質部材によって形成されている。押出部３を押圧することによって、中空部１ｄ内の空気を微細孔４ａから押し出すことができる。従って、中空部１ｄに粉状物又は液状物が収容されている場合、微細孔４ａから、粉状物又は液状物が噴射される。
【００２９】
図４は、簡易風向計１００の分解斜視図である。図５は、簡易風向計１００の内部構造を示す図である。図４及び図５を参照しながら、簡易風向計１００の詳細な構造について説明する。
【００３０】
簡易風向計１００は、上中空部１と、下中空部２と、押出部３と、微細孔部４と、取付部材５と、キャップ６と、出入孔形成部材７と、Ｏリング８と、蓋部９と、磁石１０と、磁石１１と、グリーンフォーク１２とを備える。各部材は、たとえば、樹脂成形によって作られる。
【００３１】
上中空部１は、グリーンフォーク１２の形状を有する凹部１３を含む。凹部１３内に、磁石１０を埋め込む凹部が設けられている。磁石１０は、当該凹部に埋め込まれる。グリーンフォーク１２の底面には、磁石１１を埋め込む凹部が設けられている。磁石１１は、当該凹部に埋め込まれる。磁石１０が埋め込まれる位置と、磁石１１が埋め込まれる位置とは、対応している。グリーンフォーク１２が凹部１３に嵌め込まれた場合、磁石１０と磁石１１とが付着し、グリーンフォーク１２が取り外し可能に固定される。さらに、凹部１３は、グリーンフォーク１２の先端１２ａに相当する部分１３ａが他の部分に比べて深くなっている。したがって、先端１２ａを押圧することによって、先端１２が部分１３ａに沈み込む、先端１２ａの逆側が凹部１３から持ち上がることとなる。図６は、グリーンフォーク１２が持ち上がっている様子を示す図である。これにより、グリーンフォーク１２を簡単に取り外すことができる。
【００３２】
上中空部１は、出入孔形成部材７の外径と略同一の内径を有する貫通孔１ａを含む。貫通孔１ａに、上中空部１の内側から、出入孔形成部材７が挿入される。図５に示すように、出入孔形成部材７は、上中空部１の内側から、ビス７ａで固定される。出入孔形成部材７は、貫通した出入孔７ｂを有する。出入孔７ｂは、粉状物又は液状物を収容するための出入り口となる。出入孔７ｂは、内側に、ねじ溝を有する。蓋部９は、略円筒状であり、出入孔７ｂの内側のねじ溝に対応するねじ溝を有する。Ｏリング８の内径は、蓋部９の外径と略同一である。Ｏリング８は、蓋部９に嵌め込まれる。Ｏリング８が嵌められた蓋部９は、出入孔７ｂにねじ込まれる。これにより、粉状物又は液状物の漏れが防止される。図１に示すように、蓋部９は、開閉用溝９ａを含む。開閉用溝９ａは、コインの厚さ程度の幅であり、容易に開閉可能である。
【００３３】
上中空部１及び下中空部２は、略Ｔ字状の微細孔部４を挟み込むための溝１ｂ，２ａを含む。キャップ６は、微細孔部４の微細孔４ａを閉じる。下中空部２は、底面部分が膨らんでいる押出部３の底面の膨らみ３ａを突出する大きさの縦長状孔２ｂを含む。縦長状孔２ｂは、押出部３よりも小さい貫通孔である。図５に示すように、下中空部２の縦長状孔２ｂに配置された押出部３は、取付部材５によって、複数のビス２ｃによって、下中空部２に取り付けられる。すなわち、押出部３は、中空部１ｄの内部から、縦長状孔２ｂの周縁で固定されている。
【００３４】
上中空部１と下中空部２とは、下中空部２の外周よりも少し突出した複数の係止部（図示を省略）が、下中空部１の内部縁に係止して、結合する。これにより、中空部１ｄが形成される。係止の手段として、あらゆる周知の手段を用いることができる。また、上中空部１と下中空部２とは、接着剤で接着されてもよい。
【００３５】
図７は、簡易風向計１００の使用方法の一例を示す図である。図７に示すように、押出部３を指先などで押圧することによって、中空部１ｄに収容されている粉状物又は液状物が、微細孔４ａから霧状に噴出される。当該霧が流れる方向を見ることによって、風向を確認することができる。また、当該霧の流れる速さを見ることによって、風力を確認することができる。当該霧の流れる速さが速いほど、風力が強いこととなる。なお、内容物として液状物を用いる場合、微細孔４ａは、内容物として粉状物を用いる場合に比べて、小さい方が、霧状の噴射を実現しやすい。なお、使用前に、簡易風向計１００を軽く振って、粉状物又は液状物を分散させた上で、押出部３を押して、噴射させるといった使用方法もある。また、微細孔４ａを下向きにして粉状物又は液状物は噴射されてもよいし、上向き、右向き、左向き、前向き、後ろ向きなど、適当な方向に向けて、粉状物又は液状物は噴射されてもよい。
【００３６】
このように、第１の実施形態では、簡易風向計１００を用いて、簡易的に、風向及び／又は風力を確認することができる。簡易風向計１００は、流線型で、掌に収まる程度にコンパクトであり、ポケットやバッグなどに簡単に収容することができる。したがって、携帯性やデザイン性に優れた簡易風向計１００が提供されたこととなる。また、押出部３が中空部１ｄの外側面に設けられているので、押出部３と中空部１ｄとの一体性が増し、使い勝手と共に、携帯性やデザイン性が向上する。中空部１ｄを略楕円状として、押出部３を指先大の縦長状とすれば、粉状物又は液状物の噴射がスムーズになることを本発明者は、様々な研究の結果得た。押出部３を中空部１ｄの内部から固定することによって、中空部１ｄに収容されている粉状物又は液状物が外部に漏れるのを防止することができる。蓋部９を開けて粉状物又は液状物を出し入れ可能にすることによって、本発明の簡易風向計を再利用することが可能となる。
【００３７】
なお、凹部１３において、グリーンフォーク１２の先端１２ａとは逆側の端部に対応する部分が他の部分に比べ、深くなっていても、グリーンフォーク１２を容易に取り外すことができる。
【００３８】
（第２の実施形態）
図８は、本発明の第２の実施形態に係る簡易風向計２００の斜視図である。図８において、第１の実施形態と同様の機能を有する部分は、同一の参照符号を付す。簡易風向計２００において、押出部１４の位置が、第１の実施形態と異なる。押出部１４は、略半円状であり、微細孔部４とは、逆側の端部に設けられている。ここでは、押出部１４は、上中空部１に内側から固定されているとするが、下中空部２に内側に固定されていてもよい。また、上中空部１及び下中空部２の両方に、押出部１４が固定されていてもよい。押出部１４を指先等で押圧することによって、中空部１ｄ内の空気が押し出されて、微細孔４ａから、粉状物又は液状物が噴射される。
【００３９】
第２の実施形態に示すように、本発明において、押出部の位置は、特に限定されるものではなく。中空部の外側面の一部に軟質部材から形成される押出部が設けられていたら、粉状物又は液状物を噴射することが可能となる。
【００４０】
（第３の実施形態）
図９は、本発明の第３の実施形態に係る簡易風向計３００の斜視図である。図９において、第１の実施形態と同一の機能を有する部分は、同一の参照符号を付す。簡易風向計３００において、押出部１５の位置が、第１の実施形態と異なる。第３の実施形態では、押出部は、中空部１ｄの外側面に設けられていない。押出部１５は、中空部１ｄとは別体として、中空部１ｄと連通している。押出部１５は、全部又は一部が軟質部材から形成されている。押出部１５を押圧することによって、押出部１５内の空気が中空部１ｄに入り込み、中空部１ｄの空気が押し出されることとなる。
【００４１】
第３の実施形態に示すように、本発明において、押出部は、中空部の外側面に形成されている場合に限定されない。押出部は、中空部の空気を押し出す機能を有する部材であれば、あらゆる形態や構造等を取り得る。
【００４２】
（第４の実施形態）
図１０は、本発明の第４の実施形態に係る簡易風向計４００の斜視図である。図１０において、簡易風向計４００は、上中空部１６と、下中空部１７と、押出部１８と、蓋部１９と、微細孔部２０とを備える。上中空部１６と下中空部１７とが結合することによって、中空部１６ａが形成される。押出部１８は、上中空部１６及び下中空部１７の内側から固定されている。押出部１８は、軟質部材から形成されている。なお、押出部１８は、上中空部１６又は下中空部１７のどちらか一方にだけ設けられていても良い。蓋部１９を開閉することによって、中空部１６ａの下端の出入孔から、粉状物又は液状物を出し入れすることができる。押出部１８を指先などで押圧することによって、中空部１６ａの内部の空気が押し出され、微細孔２０ａから粉状物又は液状物が噴射される。
【００４３】
第４の実施形態に示すように、本発明において、中空部の形状は、縦長状の略楕円形状であることに限定されない。中空部は、粉状物又は液状物を収容し、粉状物又は液状物を噴出し得る大きさの微細孔を有していればよい。
【００４４】
（第５の実施形態）
図１１は、本発明の第５の実施形態に係る簡易風向計５００の斜視図である。図１１において、簡易風向計５００は、上中空部２１と、下中空部２２と、押出部２３と、蓋部２４と、微細孔部２５とを備える。上中空部２１と下中空部２２とが結合することによって、中空部２１ａが形成される。押出部２３は、指先大の縦長状であり、上中空部２１の内側から固定されている。押出部２３は、軟質部材から形成されている。なお、押出部２１は、下中空部２２にも設けられていても良い。蓋部２４は、中空部２１ａの開口端（出入孔）に嵌め込むことができるキャップ状の蓋である。蓋部２４を取り外すことによって、粉状物又は液状物を出し入れすることができる。押出部２３を指先などで押圧することによって、中空部２１ａの内部の空気が押し出され、微細孔２５ａから粉状物又は液状物が噴射される。
【００４５】
第５の実施形態に示すように、本発明において、中空部の形状は、縦長状の略楕円形状であることに限定されない。中空部は、粉状物又は液状物を収容し、粉状物又は液状物を噴出し得る大きさの微細孔を有していればよい。ただし、粉状物又は液状物を効率的に噴射するためには、中空部は、縦長状であるとよい。また、中空部は、縦長状でなくても、微細孔に向かうにつれて細くなる形状を少なくとも有しているとよい。これによっても、粉状物又は液状物を効率的に噴射することができる。
【００４６】
（第６の実施形態）
図１２は、本発明の第６の実施形態に係る簡易風向計６００の斜視図である。図１２において、簡易風向計６００は、蓋部２８を含む中空部２６と、微細孔２７と、キャップ２９とを備える。蓋部２８は、中空部２６の右端に設けられた出入孔（図面上視認できない）を蓋すると共に、微細孔２７及びキャップ２９を含む。蓋部２８は、中空部２６の一部と考える。キャップ２９が蓋されることによって、微細孔２７を閉じることができる。中空部２６は、蓋部２８以外の部分が軟質プラスチック等の軟質材料から形成されている。中空部２６の胴部を押圧することによって、中空部２６は撓み、微細孔２７から内部の空気が押し出される。すなわち、中空部２６は、押出部も兼ねている。したがって、簡易風向計６００のような構造であっても、粉状物又は液状物を噴射して、風向や風力を確認することができる。なお、ここでは、蓋部２８以外の部分が軟質材料から形成されていることとしたが、中空部２６の少なくとも一部が軟質となっており、当該軟質部分が押出部として機能すればよい。
【００４７】
第６の実施形態に示すように、本発明において、中空部の少なくとも一部を軟質として、当該軟質部分が押出部を兼ねるように機能させてもよい。また、第６の実施形態に示すように、粉状物又は液状物を出し入れするための出入孔に蓋をする蓋部２８が、中空部２６の一部となっており、蓋部２８に微細孔２７を設けるようにしてもよい。すなわち、本発明において、中空部とは、粉状物又は液状物を収容し、微細孔を有するものとして広くとらえることができる。
【００４８】
（その他の変形例）
本発明の簡易風向計は、ゴルフプレイ以外にも使用可能である。たとえば、凧揚げや、アーチェリー、野球、サッカー、バレーボール、テニス、バトミントン、ドッチボール、クリケット、バスケットボール、ラグビー、アメリカンフットボール、ハンドボール、水球、ホッケー、ゲートボール、登山、運動会など、簡易的に風向や風力を認識する必要があるあらゆる競技や行事等に利用できる。
【００４９】
本発明の簡易風向計は、液状物を噴霧するのにも利用可能であるが、粉状物を噴霧した場合の方が、風向や風力の微細な流れや強さを確認しやすい。なお、粉状物の種類は何ら限定されない。
【００５０】
粉状物又は液状物の出し入れは、必須ではなく、簡易風向計に蓋部がなく、予め粉状物又は液状物が収容されている使い捨ての簡易風向計であってもよい。
【００５１】
押出部の数は、一つには限られず、複数あってもよい。また、微細孔の数は、複数であってもよく、少なくとも一つの微細孔を中空部が有していればよい。
【００５２】
微細孔を蓋するためのキャップは、紛失を防止するために、簡易風向計の一部と連結されているとよい。
【００５３】
なお、第１の実施形態では、グリーンフォークを中空部に埋め込むこととしたが、グリーンフォークの他、ティーやマーカーなど、ゴルフ付属品を埋め込むようにしてもよい。この場合、中空部は、ゴルフ付属品の形状を有する凹部を含んでいればよい。また、取り出しやすいようにするために、当該凹部は、ゴルフ付属品の端部に相当する部分が他の部分に比べて深くなっているとよい。取り付けられるゴルフ付属品は、複数であってもよい。
【００５４】
なお、上記に示した簡易風向計の組立方法は、あくまでも一例であって、特に限定されるものではない。
【００５５】
また、上記に示した風向計の形状や構造は、あくまでも一例である。たとえば、中空部の形状は、略円形状であってもよいし、略三角形状であってもよいし、略正方形状であってもよいし、略直方形状であってよいし、略台形状であってもよいし、略平行四辺形状であってもよいし、略円柱状であってもよいし、略四角柱状であってもよいし、略多角形柱状であってもよいし、略円錐状であってもよいし、略四角錐状であってもよいし、略多角形錘状であってもよいし、略円錐台状であってもよいし、略半円状であってもよいし、略半球状であってもよく、あらゆる幾何学的な形状であってよい。また、中空部の形状は、ある種の動物や人物、植物などの形状を模した形状であってもよく、あらゆる自然物を模した形状であってよい。さらに、中空部の形状は、アニメキャラクターや、乗り物、電化製品、文房具製品などの形状を模した形状であってもよく、あらゆる人工物を模した形状であってよい。このように、中空部の形状は、何ら本発明を限定するものではない。また、押出部の形状は、略円形状であってもよいし、略三角形状であってもよいし、略正方形状であってもよいし、略直方形状であってよいし、略台形状であってもよいし、略平行四辺形状であってもよいし、略円柱状であってもよいし、略四角柱状であってもよいし、略多角形柱状であってもよいし、略円錐状であってもよいし、略四角錐状であってもよいし、略多角形錘状であってもよいし、略円錐台状であってもよいし、略半円状であってもよいし、略半球状であってもよく、あらゆる幾何学的な形状であってよい。また、押出部の形状は、ある種の動物や人物、植物などの形状を模した形状であってもよく、あらゆる自然物を模した形状であってよい。さらに、押出部の形状は、アニメキャラクターや、乗り物、電化製品、文房具製品などの形状を模した形状であってもよく、あらゆる人工物を模した形状であってよい。
【００５６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５７】
本発明は、携帯性やデザイン性に優れた簡易風向計であり、産業上有用である。
【図面の簡単な説明】
【００５８】
【図１】本発明の第１の実施形態に係る簡易風向計１００の正面方向からの斜視図
【図２】簡易風向計１００の背面方向からの斜視図
【図３】簡易風向計１００の右側面図
【図４】簡易風向計１００の分解斜視図
【図５】簡易風向計１００の内部構造を示す図
【図６】グリーンフォーク１２が持ち上がっている様子を示す図
【図７】簡易風向計１００の使用方法の一例を示す図
【図８】本発明の第２の実施形態に係る簡易風向計２００の斜視図
【図９】本発明の第３の実施形態に係る簡易風向計３００の斜視図
【図１０】本発明の第４の実施形態に係る簡易風向計４００の斜視図
【図１１】本発明の第５の実施形態に係る簡易風向計５００の斜視図
【図１２】本発明の第６の実施形態に係る簡易風向計６００の斜視図
【符号の説明】
【００５９】
１００，２００，３００，４００，５００，６００  簡易風向計
１，１６，２１  上中空部
１ａ  貫通孔
１ｄ，１６ａ，２１ａ，２６  中空部
１ｃ  内部縁
２，１７，２２  下中空部
１ｂ，２ａ  溝
２ｂ  縦長状孔
２ｃ  ビス
３，１８，２３  押出部
３ａ  膨らみ
４，２０，２５  微細孔部
４ａ，２０ａ，２５ａ，２７  微細孔
５，２９  取付部材
６  キャップ
７  出入孔形成部材
７ａ  ビス
７ｂ  出入孔
８  Ｏリング
９，１９，２４，２８  蓋部
９ａ  開閉用溝
１０  磁石
１１  鉄片
１２  グリーンフォーク
１２ａ  先端
１３  凹部
１４，１５  押出部
【要約】
【課題】風向や風力を簡易的かつ比較的正確に確認することができ、携帯性やデザイン性に優れた簡易風向計を提供すること。
【解決手段】本発明に係る簡易風向計１００は、粉状物又は液状物を噴出することによって風向及び／又は風力を確認することができる。簡易風向計１００は、粉状物又は液状物を収容し、粉状物又は液状物を噴出し得る大きさの少なくとも一つの微細孔４ａを有する中空部１ｄと、中空部１ｄ内の空気を押し出すための押出部３とを備える。押出部３は、中空部１ｄに形成された穴の周縁で固定されている軟質部材によって形成されている。
【選択図】図７【図１】
0004229396.tif 000002
【図２】
0004229396.tif 000003
【図３】
0004229396.tif 000004
【図４】
0004229396.tif 000005
【図５】
0004229396.tif 000006
【図６】
0004229396.tif 000007
【図７】
0004229396.tif 000008
【図８】
0004229396.tif 000009
【図９】
0004229396.tif 000010
【図１０】
0004229396.tif 000011
【図１１】
0004229396.tif 000012
【図１２】
0004229396.tif 000013